(57)【要約】 【課題】  カバーが取付けられた状態を保持可能な電子機器を提供する。【解決手段】  本体ケース１１は、カバー３０の取付脚部４１を挿入可能な取付孔１４が設けられており、この取付孔１４に取付脚部４１を挿入することによって取付脚部４１の係合孔４７が本体ケース１１の凸部１６に係止された状態で取付けられ、カバー３０は、その取付脚部４１を取付孔１４に挿入して自由状態としたときに蓋部３１が操作部を操作可能な開放位置に配され、この状態から蓋部３１を閉じることにより取付脚部４１を弾性変形させた状態で蓋部３１が開口部１３,１３に係止される。【選択図】  図２
2005285482.tif 000002
【特許請求の範囲】
【請求項１】
本体ケースと、
この本体ケースに設けられた開口部を通して外方から操作可能な操作部と、
前記開口部を覆う蓋部及びその一縁部から一体に延出する取付脚部を有する弾性材製のカバーとを備え、
前記本体ケースには、前記カバーの取付脚部を挿入可能な取付孔が設けられており、この取付孔に前記取付脚部を挿入することによって前記カバーを前記本体ケースに取付けてなる電子機器であって、
前記取付脚部を前記取付孔に挿入したときに互いに対面する前記取付脚部の前記開口部とは反対側の側面及び前記本体ケースの内面のうちのいずれか一方には、
前記取付脚部を前記開口部側へ押圧することで前記蓋部を真直ぐ上に起立した状態から開放方向に傾ける押圧部が設けられていることを特徴とする電子機器。
【請求項２】
前記取付孔の開口縁のうち前記開口部から遠方側の縁部は、前記取付脚部の挿入方向とは反対側に行くほど前記開口部から離れるように拡開していることを特徴とする請求項１に記載の電子機器。
【請求項３】
前記互いに対面する前記取付脚部の前記開口部とは反対側の側面及前記本体ケースの内面のうちのいずれか一方に設けられる押圧部は、他方側に向けて突出形成された凸部により構成されており、この凸部が前記他方側に当接することにより前記取付脚部が前記開口部側へ押圧される請求項１又は請求項２に記載の電子機器であって、
前記凸部は、前記取付脚部を前記取付孔に挿入した状態で前記取付脚部が前記取付孔の前記開口部側の内面に接したときに、前記取付脚部の前記開口部側とは反対側の側面と、その側面に対面する前記本体ケースの内面との間の距離よりも大きな寸法で突出していることを特徴とする電子機器。
【請求項４】
前記取付脚部の前記開口部とは反対側の側面及びその側面と対面する前記本体ケースの内面のうちの前記他方側には、前記凸部と係合する係合部が形成されていることを特徴とする請求項３に記載の電子機器。
【請求項５】
前記凸部は、前記本体ケースの内面に設けられていることを特徴とする請求項３又は請求項４に記載の電子機器。
【発明の詳細な説明】
【技術分野】
【０００１】
本発明は、電子機器に関する。
【背景技術】
【０００２】
従来より、電子機器の本体ケースに開口部を有し、外部機器等の動作を切替えるためのスイッチ等（例えば、ＤＩＰスイッチ等）がこの開口部を介して外部に露出するようになっているものがある。これらのスイッチには異物の進入等の防止のために、本体ケースの開口部を覆うようにカバーが設けられている（下記、特許文献１参照）。
【０００３】
ここで、この種のカバー１には、図１５に示すように、ゴム等の弾性体であって、本体ケース２の開口部３を覆うように設けられた蓋部４と、この蓋部４の縁部から直線状に延出されて先端部がやや幅広に成形された取付脚部５とからなるものがある。
【０００４】
そして、取付脚部５よりもわずかに大きめに設けられた本体ケース２の取付孔６に取付脚部５を圧入することにより、蓋部４が開かれた状態でカバー１が本体ケース２に取り付けられるとともに、この状態から蓋部４を開口部３側に押さえることにより蓋部４が本体ケース２の開口部３に係止される（図１６参照）。これにより蓋部４が閉じられた状態となり、スイッチ７の不使用時における電子機器内部への異物の進入を防止することができる。そして、この状態から蓋部４の開口部３への係止を解除することにより、弾性力により蓋部４が開かれた状態に戻るようになっている。
【特許文献１】特開平９−４５１７２号公報
【発明の開示】
【発明が解決しようとする課題】
【０００５】
ところで、上記した蓋部４が開かれた状態では、取付孔６と取付脚部５との間のわずかな隙間により蓋部４が開口部３側にやや傾斜するおそれがあり、かかる場合には、作業者がスイッチ７を操作するための範囲（スペース）が狭くなってしまう。
本発明は上記のような事情に基づいて完成されたものであって、電子機器の操作時における操作スペースを確保することを目的とする。
【課題を解決するための手段】
【０００６】
上記の目的を達成するための手段として、請求項１の発明は、本体ケースと、この本体ケースに設けられた開口部を通して外方から操作可能な操作部と、前記開口部を覆う蓋部及びその一縁部から一体に延出する取付脚部を有する弾性材製のカバーとを備え、前記本体ケースには、前記カバーの取付脚部を挿入可能な取付孔が設けられており、この取付孔に前記取付脚部を挿入することによって前記カバーを前記本体ケースに取付けてなる電子機器であって、前記取付脚部を前記取付孔に挿入したときに互いに対面する前記取付脚部の前記開口部とは反対側の側面及び前記本体ケースの内面のうちのいずれか一方には、前記取付脚部を前記開口部側へ押圧することで前記蓋部を真直ぐ上に起立した状態から開放方向に傾ける押圧部が設けられている構成としたところに特徴を有する。
【０００７】
請求項２の発明は、請求項１に記載のものにおいて、前記取付孔の開口縁のうち前記開口部から遠方側の縁部は、前記取付脚部の挿入方向とは反対側に行くほど前記開口部から離れるように拡開しているところに特徴を有する。
【０００８】
請求項３の発明は、前記互いに対面する前記取付脚部の前記開口部とは反対側の側面及前記本体ケースの内面のうちのいずれか一方に設けられる押圧部は、他方側に向けて突出形成された凸部により構成されており、この凸部が前記他方側に当接することにより前記取付脚部が前記開口部側へ押圧される請求項１又は請求項２に記載の電子機器であって、前記凸部は、前記取付脚部を前記取付孔に挿入した状態で前記取付脚部が前記取付孔の前記開口部側の内面に接したときに、前記取付脚部の前記開口部側とは反対側の側面と、その側面に対面する前記本体ケースの内面との間の距離よりも大きな寸法で突出しているところに特徴を有する。
【０００９】
請求項４の発明は、請求項３に記載のものにおいて、前記取付脚部の前記開口部とは反対側の側面及びその側面と対面する前記本体ケースの内面のうちの前記他方側には、前記凸部と係合する係合部が形成されているところに特徴を有する。
【００１０】
請求項５の発明は、請求項３又は請求項４に記載のものにおいて、前記凸部は、前記本体ケースの内面に設けられているところに特徴を有する。
【発明の効果】
【００１１】
＜請求項１の発明＞
本構成によれば、取付脚部を取付孔に挿入したときに互いに対面する取付脚部の開口部とは反対側の側面及び本体ケースの内面のうちのいずれか一方には、取付脚部を開口部側へ押圧することで蓋部を真直ぐ上に起立した状態から開放方向に傾ける押圧部が設けられている。したがって、この押圧部が取付脚部を開口部側に押圧することにより、蓋部は開放方向に向かう力を受けるから、蓋部が開口部側に傾斜しにくく、操作部を操作するためのスペースが広くなる。
【００１２】
＜請求項２の発明＞
本構成によれば、取付孔の開口縁のうち開口部から遠方側の縁部は、取付脚部の挿入方向とは反対側に行くほど開口部から離れるように拡開されているから、この拡開された部分に取付脚部が倒れこむことによりカバーが傾斜した姿勢とされ、より広い範囲で作業者が操作部の操作をすることが可能となる。
【００１３】
＜請求項３の発明＞
本構成によれば、押圧部は、他方側に向けて突出形成された凸部により構成されており、この凸部は、取付脚部を取付孔に挿入した状態で取付脚部が取付孔の開口部側の内面に当接したときに、取付脚部の開口部側とは反対側の側面と、その側面に対面する本体ケースの内面との間の距離よりも大きな寸法で突出しているから、この凸部が取付脚部を係止することにより、本体ケースにカバーが取付けられた状態を保持することができる。
【００１４】
＜請求項４の発明＞
本構成によれば、取付脚部の開口部とは反対側の側面及びその側面と対面する本体ケースの内面のうちの他方側には、凸部と係合する係合部が形成されているから、取付孔内における取付脚部の軸方向へのずれを確実に防止することができる。
【００１５】
＜請求項５の発明＞
本構成によれば、凸部は、本体ケースの内面に設けられているから、取付脚部側に設けた場合と比較して、取付孔への取付脚部の挿入が容易になる。
【発明を実施するための最良の形態】
【００１６】
＜実施形態１＞
本発明の実施形態１を図１ないし図１１によって説明する。
本実施形態の電子機器１０は、合成樹脂製の本体ケース１１と、本体ケース１１の内部に内蔵されたスイッチ２０（本発明の「操作部」に相当する）と、本体ケース１１に取り付けられるカバー３０とを備えて構成され、例えば物体の有無を検出可能なファイバセンサ（図示しない）を制御するためのコントロールユニット（図示しない）等に接続されるものである。なお、以下の説明において、前後方向については、図１の左方を前方とし、上下方向については、図３を基準とする。
【００１７】
本体ケース１１は、合成樹脂からなり、図１から図４に示すように、前後方向に長い略直方体状の箱型をなし、その上面１１Ａの後半部分には、コネクタ１２が設けられており、このコネクタ１２を介して外部のコントロールユニット等（図示しない）に接続できるようになっている。
【００１８】
本体ケース１１の上面１１Ａの前半部分には、幅方向に長い略長方形状の開口部１３,１３が前後に二つ並んで設けられており、この開口部１３,１３を通してスイッチ２０の操作ができるようになっている。
【００１９】
本体ケース１１の前端部の下部には、端子部１９が左右に備えられ、このそれぞれの端子部１９に電源ケーブル（図示しない）が接続されるようになっている。
【００２０】
スイッチ２０は、本体ケース１１の二つの開口部１３,１３の下方にそれぞれ配されており、幅方向に複数の切替え部２１が並んで配されたＤＩＰスイッチとされている。なお、このスイッチ２０は、外部機器のアドレス設定や通信スピード等の通信設定等の種々の設定を行うためのものである。
【００２１】
さて、上面１１Ａのうち、二つの開口部１３,１３の右端部には、後述するカバー３０の取付脚部４１を挿入するための取付孔１４が上下方向に貫通して設けられている。
【００２２】
取付孔１４は前後方向に長い略長方形状をなし、その大きさは、カバー３０の取付脚部４１よりもわずかに大きくされている。取付孔１４の内面のうち右面以外の三面はその上端の孔縁部１４Ａがややテーパ状に拡開して形成されており、取付脚部４１を挿入する際に取付脚部４１の先端部４５を案内するようになっている。一方、取付孔１４の内面のうち右面（開口部１３,１３から遠方側の縁部）の全体は上方（挿入方向と反対）に向かうにしたがって拡開されたテーパ面１５とされている。このテーパ面１５の下縁１５Ａの下方には、本体ケース１１の右壁の内面から内方に向けて突出した凸部１６が形成されている。この凸部１６の突出高さはカバー３０の取付脚部４１を本体ケース１１の上方から挿入した際に（図７参照）、取付脚部４１の先端部４５の右縁部に当接可能な高さとされ、取付脚部４１の取付孔１４への挿入時に、凸部１６が取付脚部４１の下端に当接（取付脚部４１の下端を押圧）することにより、取付脚部４１が左方に寄せられて取付脚部４１の左側面が取付孔１４の左壁の内面に接するとともに、蓋部３１が真直ぐ上に起立した状態から蓋部３１を右方（開放方向）に傾ける方向にやや付勢するようになっている。なお、具体的な凸部１６の突出寸法は、取付脚部４１を取付孔１４に挿入した状態で取付脚部４１が取付孔１４の左壁の内面（開口部１３,１３側の内面）に当接したときに、取付脚部４１の右側面（開口部１３,１３側とは反対側の側面）と、その右側面に対面する本体ケース１１の内面との間の距離よりも大きな寸法とされている。
【００２３】
カバー３０は、ゴム等の弾性材から成型され、図５,６に示すように、略正方形状の平板からなる蓋部３１と、蓋部３１の一側縁部の略中央部から一体に延出された平板状の取付脚部４１とからなる。
【００２４】
蓋部３１の裏面（図５の左側）には、本体ケース１１の開口部１３,１３に対応した大きさの角筒部３２,３２が前後に二個並んで突出形成されており、蓋部３１を閉じた際には、これらの角筒部３２,３２が開口部１３,１３内に嵌合されるようになっている。
【００２５】
また、各角筒部３２,３２の外周３３には、長手方向の周面に各二つ、短手方向の周面に各一つ周方向に突出したリブ３４が角筒部３２,３２の上下方向の全体に亘って伸びており、蓋部３１を閉じた際には、これらのリブ３４が角筒部３２,３２の外周３３と開口部１３,１３との間に挟まれることにより、蓋部３１が開口部１３,１３に係止された状態を保つようになっている。
【００２６】
さらに、蓋部３１の裏面のうち取付脚部４１とは反対側には、くぼみ部３５が凹設されており、蓋部３１を閉じた状態のときに、作業者がこのくぼみ部３５に指をかけて引っ張ることにより、蓋部３１と開口部１３,１３との係止の解除が容易にできるようになっている。
【００２７】
取付脚部４１は、蓋部３１よりも厚みの薄い平板状であって、カバー３０の成型時の自由状態では、蓋部３１の板面に沿って直線状に延出する形態とされ、その裏面は蓋部３１の裏面と面一である。また、取付脚部４１のうち、蓋部３１との接続部分である基端部４１Ａから略中央部まではほぼ一定の大きさの断面であって、本体ケース１１の取付孔１４よりもわずかに小さくされている。さらに、取付脚部４１の基端部４１Ａと蓋部３１との境界部には、溝部４９が凹設されて局部的に肉厚が薄くなっている。この溝部４９により蓋部３１を閉じる際に、取付脚部４１の弾性変形が容易になる。
【００２８】
また、取付脚部４１の先端部には、先細のテーパ面を有する幅広部４４が設けられ、これを取付孔１４に圧入することで、カバー３０を本体ケース１１に抜け止め状態で取付けることができる。この取付け状態では、取付脚部４１は、図９に示すように、蓋部３１が開放された状態となる。
【００２９】
さらに、取付脚部４１の略中心部には楕円形状の係合孔４７（本発明の「係合部」に相当する）が形成されており、取付脚部４１が取付孔１４に挿入された状態の開放位置では、本体ケース１１の凸部１６が係合孔４７の下側の孔縁部４７Ａを左方に押し付けつつ（取付脚部４１を開口部１３,１３側に押圧させつつ）係止させており、取付脚部４１の左側面が取付孔１４の左壁の内面に接した状態となっている。この状態では、取付孔１４の左壁の内面と取付脚部４１の左側面との間に隙間が生じていないから、蓋部３１が開口部１３,１３側に傾斜することなく、蓋部３１がほぼ真直ぐ上に向いた状態で開放位置に保持される。
そして、この状態から蓋部３１を閉じて、蓋部３１を開口部１３,１３に係止させた状態では、取付脚部４１が、弾性変形して約９０度の角度で折れ曲がるとともに、図８に示すように、取付脚部４１の係合孔４７の下側の孔縁部４７Ａに凸部１６の下部が係合した状態となっているから、蓋部３１を閉じた際に、取付孔１４内における取付脚部４１の挿入方向と反対方向（軸方向）へのずれが生じないようになっている。
【００３０】
次に、本実施形態の電子機器１０において、カバー３０により常時は覆われているスイッチ２０を操作するには次のようにする。
作業者は蓋部３１のくぼみ部３５に指をかけて蓋部３１を上方へ引っ張り開口部１３,１３と蓋部３１との係止を解除する。すると、取付脚部４１は復元変形して成型時の自由状態に戻ることにより、蓋部３１が図９に示す開放位置に戻される。この開放位置では、本体ケース１１の凸部１６が、取付脚部４１の係合孔４７の下側の孔縁部４７Ａを左方（開口部１３,１３側）に押し付けた状態とされているから、取付脚部４１はほぼ真直ぐ上に立ちあがって蓋部３１が開放された状態となる。
これにより、開口部１３,１３の前方は作業者がスイッチ２０の操作を容易にできる程度のスペースをもって開放されるから、操作部２０の操作の際の作業性を向上させることができる。
【００３１】
そして、蓋部３１に右側（蓋部３１の開放方向側）への力を加えると、蓋部３１と取付脚部４１とが一体に右方に傾き、図１１に示すように、取付脚部４１がテーパ面１５に支えられるとともに、取付脚部４１はこのテーパ面１５と取付孔１４の左面の下縁に挟まれた状態で支持されて、カバー３０が所定の角度で傾斜した姿勢に保たれる。
【００３２】
また、カバー３０を傾斜させるに際して、次のようにしてもよい。
まず、蓋部３１を真上に少し持ち上げると、図１０に示すように、凸部１６と係合孔４７との係合により取付脚部４１が凸部１６に押されて弾性変形した状態となる。そこで蓋部３１を離せば、取付脚部４１の弾発力により蓋部３１がやや右方（開放方向）に傾く。その後は、蓋部３１自身の重さにより更に倒れて凸部１６と係合孔４７との係合が外れるとともに、図１１に示すように、カバー３０が所定の角度で傾斜した姿勢に保たれる。
【００３３】
これにより、開口部１３,１３の前方は十分に開放された状態となり、作業者が開口部１３,１３内に露出したスイッチ２０を操作することができる。したがって、作業者は、より広い範囲でスイッチ２０の操作が可能となるから、作業性を向上させることができる。
【００３４】
＜実施形態２＞
実施形態１では、本体ケース１１に凸部１６を設ける一方、取付脚部４１に係合孔４７を設け、凸部１６が係合孔４７と係合する構成としたが、本実施形態では、図１２に示すように、本体ケース１１に凸部１６を設けず、カバー５４の取付脚部５１を取付孔１４に挿入した状態で本体ケース５２の右壁の内面と対向する取付脚部５１の側面に凸部５６を設けたものである。実施形態１と同様の構成については、同一の符号を付して説明を省略する。
このようにすれば、取付脚部５１の凸部５６が本体ケース５２の右壁の内面に係止することにより、取付脚部５１の左側面が取付孔１４の左壁の内面に押しつけられてカバーが取付けられた状態を保持することができる。
【００３５】
＜実施形態３＞
実施形態３は、図１３,図１４に示すように、本体ケース１１の内面に凸部１６を設けず、取付孔１４の右壁に上方（挿入方向と反対）に向けて拡開されたテーパ面１５の下端から、このテーパ面１５と同一平面に連続する斜面６１を本体ケース１１の内面（取付脚部４１の側面と対面する本体ケース１１の内面）として所定の長さだけ形成し、取付脚部４１が取付孔１４に挿入された際には、この斜面６１により取付脚部４１の右側面（取付脚部４１の開口部１３,１３とは反対側の側面）が押圧されるようになっている。
このようにすれば、蓋部３１は開口部１３,１３側とは反対側（開放方向）に向かう力を受けるから、蓋部３１が開かれた状態のときに、蓋部３１が開口部１３,１３側に傾斜しにくく、作業者が操作部２０を操作するためのスペースを広くすることができる。
【００３６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３７】
（１）上記実施形態では、楕円形状の係合孔４７を形成したが取付脚部４１の挿入時に、凸部１６が収容されて、開口部１３,１３に蓋部３１を係止させた際に、凸部１６と係合してカバー３０が取付けられた状態を保持するのであれば、これに限らず、例えば、係合孔４７の代わりに窪みを設け、この窪みを凸部１６と係合させるようにしてもよい。
【００３８】
（２）上記実施形態では、操作部はＤＩＰスイッチとしたが、これに限らず、他のスイッチでもよい。例えば、ロータリスイッチ等でもよい。また、操作部は作業者が操作可能とされていればスイッチに限られない。
【００３９】
（３）上記実施形態では、電子機器１０はコネクタ１２を介して外部のコントロールユニット等に接続されるものとしたが、他の機器に接続されるものであってもよい。また、ファイバセンサを制御するための機器に限られない。
【００４０】
（４）上記実施形態では、取付脚部４１に係合孔４７を設け、この係合孔４７に凸部１６を係止させてカバー３０が取付けられた状態を保持することとしたが、係合孔４７を設けずに凸部１６を取付脚部４１に押し付けて係止させるようにしてもよい。
【００４１】
（５）第２実施形態では、本体ケース５２の内面に取付脚部４１の凸部と係合する窪みや係合孔を設けてもよい。
【００４２】
（６）第３実施形態では、本体ケース１１の内面にテーパ面１５と連続する斜面６１を設けたが、取付脚部４１側に斜面６１に相当する部分を設けて取付脚部４１が押圧されるようにしてもよい。
【図面の簡単な説明】
【００４３】
【図１】第一実施形態の電子機器の上面図
【図２】電子機器の蓋部を開いた状態の前面図
【図３】電子機器の右面図
【図４】カバーを外した状態の電子機器の上面図
【図５】カバーの前面図
【図６】カバーの左面図
【図７】本体ケースにカバーが取りつけられる状態を示す一部断面図
【図８】蓋部が閉じられた状態を示す一部断面図
【図９】蓋部を開いた状態を示す一部断面図
【図１０】凸部が取付孔に係合して取付脚部が弾性変形した状態を示す一部断面図
【図１１】カバーが傾斜した姿勢で支持された状態を示す一部断面図
【図１２】第２実施形態の電子機器の蓋部が開かれた状態を示す一部断面図
【図１３】第３実施形態の電子機器の蓋部が閉じられた状態を示す一部断面図
【図１４】電子機器の蓋部が開かれた状態を示す一部断面図
【図１５】従来の電子機器にカバーが取り付けられる状態を示す一部断面図
【図１６】従来の電子機器にカバーが取り付けられた状態を示す一部断面図
【符号の説明】
【００４４】
１０…電子機器
１１,５２…本体ケース
１３…開口部
１４…取付孔
１５…テーパ面
１６,５６…凸部
２０…スイッチ（操作部）
３０,５４…カバー
３１…蓋部
３２…角筒部
３４…リブ
４１,５１…取付脚部
４３…テーパ面
４４…幅広部
４５…先端部
４７…係合孔（係合部）
４７Ａ…孔縁部
６１…斜面
【図１】
2005285482.tif 000003
【図２】
2005285482.tif 000004
【図３】
2005285482.tif 000005
【図４】
2005285482.tif 000006
【図５】
2005285482.tif 000007
【図６】
2005285482.tif 000008
【図７】
2005285482.tif 000009
【図８】
2005285482.tif 000010
【図９】
2005285482.tif 000011
【図１０】
2005285482.tif 000012
【図１１】
2005285482.tif 000013
【図１２】
2005285482.tif 000014
【図１３】
2005285482.tif 000015
【図１４】
2005285482.tif 000016
【図１５】
2005285482.tif 000017
【図１６】
2005285482.tif 000018